(57)【特許請求の範囲】
【請求項１】
オープン型キッチンの表面に設けられる化粧パネルの取付構造であって、前記オープン型キッチンのキャビネットの表面に配置された前記化粧パネルの下端部を、前記化粧パネルの表面を前記キャビネット側に付勢する付勢部と、前記キャビネットに固定される固定部と、前記付勢部と前記固定部とを連結する連結部を備えたカバー部材で前記キャビネットに押し付けて固定したことを特徴とする化粧パネルの取付構造。
【請求項２】
前記化粧パネルの上端側部分を固定部材によって前記キャビネットの表面に固定した請求項１に記載の化粧パネルの取付構造。
【請求項３】
前記カバー部材を、前記連結部が前記化粧パネルの下端面に位置し、前記付勢部が連結部の前端部から上方に向かって延びるように構成し、前記化粧パネルに押し付けられる前の状態の前記付勢部の上部が、前記キャビネットの表面側に傾くように前記付勢部を傾斜させた請求項１または２に記載の化粧パネルの取付構造。
【請求項４】
前記カバー部材の連結部と前記化粧パネルの下端面との間に隙間を設けた請求項３に記載の化粧パネルの取付構造。
【請求項５】
オープン型キッチンのキャビネット表面に設けられる化粧パネルを、前記化粧パネルの表面に配置される付勢部と、前記キャビネットおよび前記化粧パネルの下面に配置される固定部とを備えたカバー部材を用いて取り付ける化粧パネルの取付構造であって、前記付勢部で、前記キャビネットの表面に配置された前記化粧パネルの下端部を、前記キャビネット側に付勢した状態で、前記固定部を、前記キャビネットの下面と、前記オープン型キッチンが設置される床面との間に差し込むことにより前記化粧パネルの下端部を前記キャビネットに押し付けて固定したことを特徴とする化粧パネルの取付構造。
【発明の詳細な説明】
【技術分野】
【０００１】
本発明は、台所とリビングルームとの間に設置されるオープン型キッチンの表面に設けられる化粧パネルの取付構造に関する。
【背景技術】
【０００２】
従来から、キッチンとして、台所とリビングルームとの間に設置されるオープン型キッチンがある。このオープン型キッチンの表面、特に、リビングルーム側の表面には、美観の面から化粧パネルが取り付けられている（例えば、特許文献１参照）。このオープン型キッチンでは、キャビネットの上面における背面側（リビングルーム側で、台所側から見た背面）に上方に延びる突部を設け、化粧パネルの上端部をこの突部に合わせた状態で、化粧パネルをキャビネットの背面に配置している。そして、突部と化粧パネルの上端部とを逆角樋形のバックガードカバーで挟んで固定し、化粧パネルの下端部を角樋形の支持材で支持することにより、化粧パネルはキャビネットに取り付けられている。
【特許文献１】特開２００５−１２４９７２号公報
【発明の開示】
【０００３】
しかしながら、前述した従来のキッチンでは、バックガードカバーや支持材で化粧パネルをキャビネット側に固定する際に、バックガードカバーや支持材の溝部内に化粧パネルの端部を無理に押し込むようにするため、化粧パネルに傷が付き易くなる。一般に、このような化粧パネルの表面には耐水性のフィルム等が張られて吸水を防止できるように加工されているが、化粧パネルの表面、特に角部に傷が付いた場合には、その傷の部分から吸水して化粧パネルが膨れてしまうことがある。この結果、化粧パネルの美観を損ねたり、化粧パネルが朽ちたりするという問題が生じる。特に、バックガードカバーや支持材と化粧パネルとの接合部に水が浸入して溜まった場合には化粧パネルの膨れ等の問題が発生し易くなる。
【０００４】
本発明は、前述した問題に対処するためになされたもので、その目的は、化粧パネルを傷付けることなくキャビネットに取り付けることができ、かつ化粧パネルの美観を長期にわたって維持できる化粧パネルの取付構造を提供することである。
【０００５】
前述した目的を達成するため、本発明に係る化粧パネルの取付構造の構成上の特徴は、オープン型キッチンの表面に設けられる化粧パネルの取付構造であって、オープン型キッチンのキャビネットの表面に配置された化粧パネルの下端部を、化粧パネルの表面をキャビネット側に付勢する付勢部と、キャビネットに固定される固定部と、付勢部と固定部とを連結する連結部を備えたカバー部材でキャビネットに押し付けて固定したことにある。
【０００６】
前述したように構成した本発明の化粧パネルの取付構造では、オープン型キッチンのキャビネットの表面に配置された化粧パネルの下端部を、カバー部材でキャビネットに固定するようにしている。そして、このカバー部材は、付勢部と、固定部と、付勢部と固定部を連結する連結部とを備えており、付勢部は、化粧パネルの表面をキャビネット側に付勢し、固定部は、付勢部に化粧パネルをキャビネット側に付勢させた状態でキャビネットに固定される。このため、化粧パネルの下端部をキャビネットに固定する際には、付勢部で化粧パネルをキャビネットに押し付けるようにしてカバー部材をキャビネットに固定するようになる。
【０００７】
この結果、化粧パネルの表面を擦って表面部分を剥がしたり、傷付けたりすることがなくなる。このため、化粧パネルが吸水して膨れたり損傷したりすることが防止され、化粧パネルの美観を長期にわたって維持できる。なお、この場合、カバー部材のキャビネットへの固定はねじ等の固定部材を用いて行える。また、この場合のオープン型キッチンの表面は、扉や引出が設けられていない場合には、台所側の表面としてもよい。
【０００８】
また、本発明に係る化粧パネルの取付構造の他の構成上の特徴は、化粧パネルの上端側部分を固定部材によってキャビネットの表面に固定したことにある。これによると、化粧パネルは、上端側部分を固定部材でキャビネットに固定することにより、キャビネットの表面に取り付けられるため、カバー部材は、化粧パネルの下端部をキャビネットに押し付けるだけで済む。このため、化粧パネルには、さらに傷が付き難くなる。また、この場合の固定部材としては、木ねじ等を用いることができる。
【０００９】  また、本発明に係る化粧パネルの取付構造のさらに他の構成上の特徴は、カバー部材を、連結部が化粧パネルの下端面に位置し、付勢部が連結部の前端部から上方に向かって延びるように構成し、化粧パネルに押し付けられる前の状態の付勢部の上部が、キャビネットの表面側に傾くように付勢部を傾斜させたことにある。これによると、付勢部の上端部側部分で、化粧パネルをより強固にキャビネット側に押し付けることができるため、化粧パネルの下端部の取り付けがより確実になる。また、付勢部の上部が、化粧パネルの表面に密着するようになるため、止水性が向上し、カバー部材と化粧パネルとの間に水が浸入し難くなる。
【００１０】
また、本発明に係る化粧パネルの取付構造のさらに他の構成上の特徴は、カバー部材の連結部と化粧パネルの下端面との間に隙間を設けたことにある。これによると、カバー部材と化粧パネルとの間に水が浸入したときに、隙間が排水路として機能して、浸入した水を固定部側に流すことができる。また、多少の水が隙間に溜まっても化粧パネルに浸からなくなるため、化粧パネルが吸水して膨れることを防止できる。なお、連結部に孔を設けたり、連結部を所定間隔を保って形成された複数の片で構成したりすることもでき、これによると、カバー部材と化粧パネルとの間に水が浸入した場合に、その水は、孔や連結部の間から下方に流れるようになる。
【００１１】
また、本発明に係る化粧パネルの取付構造のさらに他の構成上の特徴は、オープン型キッチンのキャビネット表面に設けられる化粧パネルを、化粧パネルの表面に配置される付勢部と、キャビネットおよび化粧パネルの下面に配置される固定部とを備えたカバー部材を用いて取り付ける化粧パネルの取付構造であって、付勢部で、キャビネットの表面に配置された化粧パネルの下端部を、キャビネット側に付勢した状態で、固定部を、キャビネットの下面と、オープン型キッチンが設置される床面との間に差し込むことにより化粧パネルの下端部をキャビネットに押し付けて固定したことにある。
【００１２】
このように構成した化粧パネルの取付構造では、付勢部を化粧パネルの表面における下端部に当てるようにして、固定部をキャビネットの下面と、床面との間に差し込むだけで化粧パネルの下端部の取り付けができるため取り付け作業が簡単になる。また、この場合、化粧パネルの下端部と床面との間に隙間が生じていても、付勢部で隠れてしまうため、化粧パネルの寸法精度が多少悪くなっていても美観を損なうことがない。また、化粧パネルの上端側部分は、予め固定部材等を用いてキャビネットに固定しておく。
【発明を実施するための最良の形態】
【００１３】
（第１実施形態）
以下、本発明の第１実施形態を図面を用いて詳しく説明する。図１および図２は、同実施形態に係る化粧パネルの取付構造２０を備えたオープン型のキッチン１０を示しており、このキッチン１０は、リビングルームＬと台所Ｋとの間に設けられている。このキッチン１０においては、キャビネット１１の上部に配置されたカウンター１２に、加熱装置１３、防熱板１４、シンク１５が設けられている。また、カウンター１２における加熱装置１３の上方に、排気装置１６が設けられている。そして、キャビネット１１内には各種の収容部が形成されその台所Ｋ側の表面に扉１７ａや引き出し１７ｂ等が設けられている。
【００１４】
また、キャビネット１１のサイドには、化粧サイドパネル１８が設けられ、リビングルームＬ側の表面には、３枚の化粧パネル２１が横方向に並んで取り付けられている。各化粧パネル２１は、図３に示したように、上端側部分が木ねじ２２でキャビネット１１に固定され、下端部がカバー部材２３でキャビネット１１に固定されている。すなわち、キャビネット１１の前面（以下、リビングルーム側を前方として説明する。）における上部と下部には、それぞれ補強木スペーサ２４ａ，２４ｂが取り付けられている。
【００１５】
そして、木ねじ２２は、化粧パネル２１の表面側から化粧パネル２１を貫通して補強木スペーサ２４ａまで達している。そして、化粧パネル２１の表面における木ねじ２２にはねじキャップ２２ａが被せられ、木ねじ２２が前方から見えないようにしている。このねじキャップ２２ａの色は、化粧パネル２１の色と同じ色に着色されている。
【００１６】
化粧パネル２１の下端部をキャビネット１１に固定するカバー部材２３は、図４および図５に示したように構成されている。このカバー部材２３は、アルミニウムからなる押し出し材で構成され、表面をアルマイト仕上げしてアクリル・メラミン樹脂による塗装が施されている。このカバー部材２３は、化粧パネル２１の表面下部を覆う付勢部２５と、キャビネット１１の表面下部を覆ってキャビネット１１に固定される固定部２６と、付勢部２５と固定部２６を連結して水平方向に延びる連結部２７とで構成されている。
【００１７】
付勢部２５は、表面が平面状に形成され、裏面における下部２５ａが上部２５ｂよりも薄肉に形成されて下部２５ａと上部２５ｂとの間に段差が設けられている。また、この付勢部２５は、固定部２６を垂直方向に向けたとき（連結部２７は水平方向を向く）に、上部２５ｂが固定部２６側に傾くように傾斜した状態に形成されている。この傾斜角度は、垂直方向に対して３．５°程度に設定されている。また、固定部２６は、表面に上下方向に延びる波状の凹凸部２６ａ（前方から見ると横縞模様）が形成され、裏面が平面状に形成されている。そして、固定部２６の上部には、一定間隔を保って複数個のねじ挿通穴２６ｂが形成されている。連結部２７は上下面ともに平面状に形成され、前後方向の長さが、化粧パネル２１の厚みと略等しく設定されている。
【００１８】
このように構成されたカバー部材２３は、図６に示したようにして、化粧パネル２１の下端部をキャビネット１１に固定している。すなわち、カバー部材２３は、固定部２６の下端部を、床面Ｆに接触させた状態で、固定部２６をキャビネット１１の前面における補強木スペーサ２４ｂの部分に押し当てられ、木ねじ２８を補強木スペーサ２４ｂに打ち込むことにより、化粧パネル２１の下端部をキャビネット１１に固定している。
【００１９】
この場合、付勢部２５の上部２５ｂは化粧パネル２１をキャビネット１１側に付勢した状態になり、付勢部２５は化粧パネル２１の表面に沿って垂直方向を向くようになる。これによって、化粧パネル２１は確実にキャビネット１１に固定される。また、連結部２７と化粧パネル２１の下面との間には、隙間２９が形成されている。
【００２０】
また、各化粧パネル２１の両側部における裏面側部分には、図７に示したように、位置決め用の突起２１ａ，２１ｂが設けられており、各化粧パネル２１どうしを組み付ける際に、突起２１ａ，２１ｂを上下に重ねることにより、両化粧パネル２１は適正な状態で組み付けられる。さらに、図３に示したように、カウンター１２の前部側部分は、Ｌ形金具１２ａを介して化粧パネル２１に固定されており、カウンター１２と化粧パネル２１との間には、緩衝用のパッキン材１２ｂが設けられている。
【００２１】
このように構成された化粧パネルの取付構造２０は次のようにして組み付けられる。まず、一枚目の化粧パネル２１を、固定されたサイドパネル１８に押し当てて位置決めし、その化粧パネル２１の上端側部分を木ねじ２２でキャビネット１１に固定する。つぎに、その化粧パネル２１の横に、中央に取り付けられる化粧パネル２１を突起２１ａ，２１ｂどうしを上下に重ねるようにして位置決めし、中央の化粧パネル２１の上端側部分を木ねじ２２でキャビネット１１に固定する。そして、さらに、中央に取り付けられた化粧パネル２１の横に、残りの化粧パネル２１を、突起２１ａ，２１ｂどうしを上下に重ねるようにして位置決めし、その化粧パネル２１の上端側部分を木ねじ２２でキャビネット１１に固定する。
【００２２】
ついで、各化粧パネル２１の下端部にカバー部材２３を合わせて設置し、付勢部２５を各化粧パネル２１に押し付けながら木ねじ２８で、固定部２６をキャビネット１１に固定する。そして、化粧パネル２１の表面における木ねじ２２が取り付けられた部分に、ねじキャップ２２ａを取り付けて木ねじ２２を被覆する。そして、キャビネット１１の上面に、Ｌ形金具１２ａおよびパッキン材１２ｂを用いてカウンター１２を取り付ける。
【００２３】
このように、本実施形態に係る化粧パネルの取付構造２０では、化粧パネル２１の上端側部分を木ねじ２２でキャビネット１１に固定し、化粧パネル２１の下端部を、カバー部材２３でキャビネット１１に固定するようにしている。このため、カバー部材２３で化粧パネル２１の下端部を固定する際には、カバー部材２３で化粧パネル２１の表面を擦ることなく、カバー部材２３の付勢部２５を化粧パネル２１に押し付けながら固定部２６を木ねじ２８でキャビネット１１に固定するだけで済む。この結果、化粧パネル２１には、傷が付くことがなくなる。このため、化粧パネル２１が傷の部分から吸水して膨れたり損傷したりすることが防止され、化粧パネル２１の美観を長期にわたって維持できる。
【００２４】
また、付勢部２５の下部２５ａを上部２５ｂよりも薄肉にして、上部２５ｂをキャビネット１１側に傾くように傾斜させたため、化粧パネル２１をより強固にキャビネット１１に押し付けることができる。このため、化粧パネルの下端部の取り付けがより確実になる。また、その際、下部２５ａが薄肉になっているため弾性を有するようになり、適度な付勢力で化粧パネル２１を押圧するようになる。さらに、付勢部２５の上部２５ｂが、化粧パネル２１の表面に密着するようになるため、止水性が向上し、カバー部材２３と化粧パネル２１との間に水が浸入し難くなる。
【００２５】
また、カバー部材２３の連結部２７と化粧パネル２１の下端面との間に隙間２９を設けたため、カバー部材２３と化粧パネル２１との間に水が浸入したときに、隙間２９が排水路として機能して、浸入した水を固定部２６側に流すことができる。また、多少の水が隙間２９に溜まっても化粧パネル２１に浸からなくなるため、化粧パネル２１が吸水して膨れることを防止できる。また、化粧パネル２１に水が浸かったとしても、化粧パネル２１の表面に傷がないため吸水することがない。
【００２６】
（第２実施形態）
図８は、本発明の第２実施形態に係る化粧パネルの取付構造３０を示している。この実施形態では、カバー部材３３が、垂直方向に延びる付勢部３５と、水平方向に延びる固定部３６とからなる側面形状がＬ形の部材で構成されている。そして、化粧パネル３１の下端部をキャビネット１１ａに固定する際には、付勢部３５を化粧パネル３１の表面に当てるようにして固定部３６を、補強木スペーサ３４の下面と床面Ｆとの間に押し込む。
【００２７】
これによって、カバー部材３３は、付勢部３５で化粧パネル３１の下端面と固定部３６との間の隙間３９を隠した状態で、化粧パネル３１の下端部をキャビネット１１ａに固定する。この化粧パネルの取付構造３０のそれ以外の部分の構成については、前述した化粧パネルの取付構造２０と同一である。このように構成したため、カバー部材３３の構造が単純になり、安価になるとともに、固定作業が容易になる。この化粧パネルの取付構造３０のそれ以外の作用効果については、前述した化粧パネルの取付構造２０と同様である。
【００２８】
（第３実施形態）
図９は、本発明の第３実施形態に係る化粧パネルの取付構造４０を示している。この実施形態では、カバー部材４３が、化粧パネル４１の表面下端部に沿って垂直方向（図９は水平方向に延びた状態を示している。）に延びる付勢部４５と、キャビネット１１ｂの表面における付勢部４５の側方部分に固定される固定部４６と、化粧パネル４１の側端面に沿って配置され付勢部４５と固定部４６とを連結する連結部４７とで構成されている。そして、化粧パネル４１の下端部をキャビネット１１ｂに固定する際には、付勢部４５を化粧パネル４１の表面に押し付けるようにして固定部４６を木ねじ（図示せず）で、キャビネット１１ｂに固定する。
【００２９】
これによって、カバー部材４３は、付勢部４５で化粧パネル４１の下方の隙間（図示せず）を隠した状態で、化粧パネル４１の下端部をキャビネット１１ｂに固定する。また、各連結部４７の外側にできる隙間には、隙間を隠すための化粧部材４８がそれぞれ取り付けられている。この化粧パネルの取付構造４０のそれ以外の部分の構成については、前述した化粧パネルの取付構造２０と同一である。また、このように構成したため、カバー部材４３と化粧パネル４１との間に水が入り込んでもそのはカバー部材４３の下方に抜けていくため、化粧パネル４１の下方に水が溜まることがなくなる。この化粧パネルの取付構造４０のそれ以外の作用効果については、前述した化粧パネルの取付構造２０と同様である。
【００３０】
また、本発明に係る化粧パネルの取付構造は、前述した各実施形態に限定するものでなく、適宜、変更して実施することが可能である。例えば、前述した第１実施形態では、連結部２７を板状に形成しているが、これを付勢部２５と固定部２６を所定間隔で連結する複数の棒状部材で構成することができる。また、連結部２７に排水用の穴部を設けることもできる。
【図面の簡単な説明】
【００３１】
【図１】本発明の第１実施形態に係る化粧パネルの取付構造を備えたキッチンを示した斜視図である。
【図２】キッチンの台所側を示した斜視図である。
【図３】化粧パネルの取付構造を示した断面図である。
【図４】カバー部材を示した正面図である。
【図５】カバー部材を示した側面図である。
【図６】化粧パネルの取付構造の要部を拡大して示した断面図である。
【図７】化粧パネルどうしを組み付ける状態を示した説明図である。
【図８】本発明の第２実施形態に係る化粧パネルの取付構造を示した断面図である。
【図９】本発明の第３実施形態に係る化粧パネルの取付構造を示した平面図である。
【符号の説明】
【００３２】
１０…キッチン、１１，１１ａ，１１ｂ…キャビネット、２０，３０，４０…化粧パネルの取付構造、２１，３１，４１…化粧パネル、２２…木ねじ、２３，３３，４３…カバー部材、２５，３５，４５…付勢部、２５ｂ…上部、２６，３６，４６…固定部、２７，４７…連結部、２９，３９…隙間、Ｆ…床面、Ｋ…台所、Ｌ…リビングルーム。
【図１】
0004456051.tif 000002
【図２】
0004456051.tif 000003
【図３】
0004456051.tif 000004
【図４】
0004456051.tif 000005
【図５】
0004456051.tif 000006
【図６】
0004456051.tif 000007
【図７】
0004456051.tif 000008
【図８】
0004456051.tif 000009
【図９】
0004456051.tif 000010